(57)【要約】【課題】無線端末装置とＡＰとの間の無線接続の設定を容易に行える技術を提供する。【解決手段】無線接続システムは、電子機器と、前記電子機器に有線接続された無線端末装置と、前記無線端末装置との間で無線通信を行う中継装置と、端末機器と、を含む。前記無線端末装置の割当部は、前記端末機器に対し前記無線端末装置とネットワーク接続を行うための接続情報を送信し、前記無線端末装置の情報提供部は、前記端末機器との間の前記ネットワーク接続が確立した後に、設定画面情報を前記端末機器に送信することで、前記表示部に前記設定画面を表示させ、無線端末装置は、無線接続情報を用いて前記中継装置との間の無線接続の確立を行う。【選択図】図５
2015061100.tif 000002
【特許請求の範囲】
【請求項１】
電子機器と、前記電子機器に有線接続された無線端末装置と、前記無線端末装置との間で無線通信を行う中継装置と、端末機器と、を含む無線接続システムであって、
前記端末機器は、
情報を表示するための表示部と、
外部からの入力を受け付けるための入力部と、
前記無線通信を行うための無線通信機能部と、を備え、
前記無線端末装置は、
ネットワークに接続するための接続情報を前記端末機器に割り当てるための割当部と、
前記端末機器に対し、前記無線端末装置と前記中継装置との間の無線接続を確立するために必要な設定を行うための設定画面を表示させる設定画面情報を提供する情報提供部と、を備え、
前記中継装置は、
前記無線端末装置と無線通信を行う通信部を備え、
前記無線端末装置の前記割当部は、前記端末機器に対し前記無線端末装置とネットワーク接続を行うための前記接続情報を送信し、
前記端末機器は、前記接続情報を用いて前記無線端末装置との間の前記ネットワーク接続を確立し、
前記無線端末装置の前記情報提供部は、前記端末機器との間の前記ネットワーク接続が確立した後に、前記設定画面情報を前記端末機器に送信することで、前記表示部に前記設定画面を表示させ、
前記端末機器は、前記設定画面と前記入力部を用いて前記無線端末装置と前記中継装置との無線接続を確立するための無線接続情報を受け付け、受け付けた前記無線接続情報を前記無線端末装置に送信し、
前記無線端末装置は、前記無線接続情報を用いて前記中継装置との間の無線接続の確立を行う、無線接続システム。
【請求項２】
電子機器に有線接続され、有線によって受信した前記電子機器からのデータを無線によって中継装置に送信するための無線端末装置であって、
情報を表示するための表示部と外部からの入力を受け付ける入力部と無線通信を行うための無線通信機能部とを有する端末機器をネットワークに接続するための接続情報を割り当てるための割当部と、
前記端末機器に対し、前記無線端末装置を前記中継装置に無線接続を確立するために必要な設定を行うための設定画面を表示させるための設定画面情報を提供する情報提供部と、を備え、
前記割当部は、前記端末機器に対し前記無線端末装置とネットワーク接続を確立するための接続情報を送信し、
前記情報提供部は、前記端末機器との間の前記ネットワーク接続が確立した後に、前記設定画面情報を前記端末機器に送信する、無線端末装置。
【請求項３】
請求項２に記載の無線端末装置であって、
前記設定画面情報は、前記中継装置の識別子と、前記中継装置に設定されている暗号鍵とを入力させる前記設定画面を前記表示部に表示させるための情報である、無線端末装置。
【請求項４】
請求項２又は請求項３に記載の無線端末装置であって、
前記無線端末装置は、前記端末機器に対するアクセスポイントとして前記無線端末装置を機能させるアクセスポイントモードと、前記中継装置に対するステーションとして前記無線端末装置を機能させるステーションモードと、を有し、
前記無線端末装置は、前記ステーションモードにおいて、前記中継装置と前記無線通信を行う、無線端末装置。
【請求項５】
請求項２又は請求項３に記載の無線端末装置であって、
前記無線端末装置は、前記端末機器に対するアクセスポイントとして前記無線端末装置を機能させるアクセスポイントモードと、前記中継装置に対するステーションとして前記無線端末装置を機能させるステーションモードと、を有し、
前記無線端末装置は、前記アクセスポイントモードと前記ステーションモードとを同時に実行できる、無線端末装置。
【請求項６】
請求項２から請求項５までのいずれか一項に記載の無線端末装置であって、さらに、
前記無線端末装置と前記中継装置との接続状況を前記端末機器に送信する通知部を備える、無線端末装置。
【請求項７】
請求項２から請求項６までのいずれか一項に記載の無線端末装置であって、さらに、
前記情報提供部が前記設定画面情報を送信する前に、前記無線端末装置に対して割り当てられた識別情報を入力させる識別入力画面を前記表示部に表示させる入力画面情報を前記端末装置に送信し、前記識別入力画面を介して入力された識別情報である入力情報が前記無線端末装置に予め記憶された識別情報である記憶情報と一致するかどうかを判定する識別情報機能部を有し、
前記情報提供部は、
前記識別情報機能部が、前記入力情報と前記記憶情報とが一致すると判定した場合は、前記設定画面情報を前記端末装置に送信し、
前記識別情報機能部が、前記入力情報と前記記憶情報とが一致しないと判定した場合は、前記設定画面情報を前記端末装置に送信しない、無線端末装置。
【請求項８】
請求項２から請求項７までのいずれか一項に記載の無線端末装置であって、さらに、
ＩＥＥＥ８０２．１Ｘに基づく認証サーバ装置に対する前記無線端末装置の認証を中継する認証中継部を有する前記中継装置に対して、前記中継装置とは異なる他の機器と通信を行うための認証を要求する認証要求機能部を有する、無線端末装置。
【請求項９】
請求項２から請求項８までのいずれか一項に記載の無線端末装置であって、さらに、
前記端末機器との間の前記ネットワーク接続が確立した後に、有線接続された前記電子機器との間のデータリンク層における接続を切断し、再び有線接続された前記電子機器との間のデータリンク層における接続を行う再接続部を有する、無線端末装置。
【請求項１０】
電子機器に有線接続され、有線によって受信した前記電子機器からのデータを無線によって中継装置に送信するための無線端末装置が実行する無線接続方法であって、
（ａ）情報を表示ための表示部と、第部からの入力を受け付ける入力部と、無線通信を行うための無線通信機能部と、を有する端末機器に対し前記無線端末装置との間のネットワーク接続を確立するための接続情報を送信する工程と、
（ｂ）前記接続情報を用いて前記無線端末装置と前記端末機器との間の前記ネットワーク接続が確立された後に、前記無線端末装置を前記中継装置に無線接続するために必要な設定を行うための設定画面を前記表示部に表示させる設定画面情報を前記端末機器に送信する工程と、を備える、無線接続方法。
【発明の詳細な説明】
【技術分野】
【０００１】
本発明は、装置間の無線接続を確立するための技術に関する。
【背景技術】
【０００２】
従来、無線ＬＡＮのアクセスポイント（以下、「ＡＰ」とも呼ぶ。）に情報処理装置を無線接続するための設定の際にユーザの手間を簡略化するための技術として、ＡＯＳＳ（AirStation One-Touch Secure System，登録商標）やＷＰＳ（Wi-Fi Protected Setup）が知られている（特許文献１〜３）。
【先行技術文献】
【特許文献】
【０００３】
【特許文献１】特開２００７−１１０６７０号公報
【特許文献２】特開２００９−９４８５２号公報
【特許文献３】特開２０１２−２１７０４５号公報
【発明の概要】
【発明が解決しようとする課題】
【０００４】
ＡＰに無線接続される情報処理装置として、イーサネットコンバーター（以下、「イサコン」とも呼ぶ。「イーサネット」は登録商標。）が挙げられる。イサコンは、有線によって電子機器に接続されることで、電子機器をＡＰによる無線ネットワーク接続ができる状態にする。
【０００５】
ここで、以下に挙げられるイサコンやＡＰがＡＯＳＳまたはＷＰＳのような無線接続を簡略化するための機能を搭載していない場合、無線接続に必要なＳＳＩＤ（Service Set Identifier）等の無線接続情報をイサコンとＡＰとの無線接続の設定の際にユーザが入力する必要がある。一方、ＡＰに対するクライアント装置側であるイサコンが無線接続情報の入力を受け付けるための入力画面や入力ボタンなどのユーザインタフェースを有さない場合がある。この場合、ユーザはＡＰとイサコンとを無線接続することが困難となる。また、イサコンに接続される電子機器がユーザインタフェースを有している場合であっても、ウェブサーバ装置が提供するコンテンツを閲覧するためのウェブブラウザ機能を搭載していない場合、入力設定画面などのコンテンツ情報へユーザはアクセスできない。よって、この場合においても、ユーザはＡＰとイサコンとを無線接続することが困難となる。よって、イサコンなどの無線端末装置とＡＰとの間の無線接続に必要な設定を容易に行える技術が望まれている。
【課題を解決するための手段】
【０００６】
本発明は、上述の課題の少なくとも一部を解決するためになされたものであり、以下の形態又は適用例として実現することが可能である。
【０００７】
（１）本発明の一形態によれば、電子機器と、前記電子機器に有線接続された無線端末装置と、前記無線端末装置との間で無線通信を行う中継装置と、端末機器と、を含む無線接続システムが提供される。この無線接続システムにおいて、前記端末機器は、情報を表示するための表示部と、外部からの入力を受け付けるための入力部と、前記無線通信を行うための無線通信機能部と、を備え、前記無線端末装置は、ネットワークに接続するための接続情報を前記端末機器に割り当てるための割当部と、前記端末機器に対し、前記無線端末装置と前記中継装置との無線接続を確立するために必要な設定を行うための設定画面を表示させる設定画面情報を提供する情報提供部と、を備え、前記中継装置は、前記無線端末装置と無線通信を行う通信部を備え、前記無線端末装置の前記割当部は、前記端末機器に対し前記無線端末装置とネットワーク接続を行うための接続情報を送信し、前記端末機器は、前記接続情報を用いて前記無線端末装置との間の前記ネットワーク接続を確立し、前記無線端末装置の前記情報提供部は、前記端末機器との間の前記ネットワーク接続が確立した後に、前記設定画面情報を前記端末機器に送信することで、前記表示部に前記設定画面を表示させ、前記端末機器は、前記設定画面と前記入力部を用いて前記無線端末装置と前記中継装置との無線接続を確立するための無線接続情報を受け付け、受け付けた前記無線接続情報を前記無線端末装置に送信し、前記無線端末装置は、前記無線接続情報を用いて前記中継装置との間の無線接続の確立を行う。
この形態の無線接続システムによれば、入力部と表示部とを有する端末機器を介して無線端末装置と中継装置との無線接続のために必要な設定を行うことができる。
【０００８】
（２）本発明の他の一形態によれば、電子機器に有線接続され、有線によって受信した前記電子機器からのデータを無線によって中継装置に送信するための無線端末装置が提供される。この無線端末装置は、情報を表示するための表示部と外部からの入力を受け付ける入力部と無線通信を行うための無線通信機能部とを有する端末機器をネットワークに接続するための接続情報を割り当てるための割当部と、前記端末機器に対し、前記無線端末装置を前記中継装置に無線接続を確立するために必要な設定を行うための設定画面を表示させるための設定画面情報を提供する情報提供部と、を備え、前記割当部は、前記端末機器に対し前記無線端末装置とネットワーク接続を確立するための接続情報を送信し、前記情報提供部は、前記端末機器との間の前記ネットワーク接続が確立した後に、前記設定画面情報を前記端末機器に送信する。
この形態の無線端末装置によれば、設定画面情報を入力部と表示部とを有する端末機器に送信することで、ユーザは端末機器を用いて無線端末装置が中継装置と無線接続を行うに必要な設定を行うことができる。
【０００９】
（３）上記形態の無線端末装置であって、前記設定画面情報は、前記中継装置の識別子と、前記中継装置に設定されている暗号鍵とを入力させる前記設定画面を前記表示部に表示させるための情報であっても良い。
この形態の無線端末装置によれば、端末機器に設定画面情報を送信し、端末機器に設定画面を表示させることで、ユーザは設定画面を用いて無線端末装置と中継装置との無線接続のための設定を行うことができる。
【００１０】
（４）上記形態の無線端末装置であって、前記無線端末装置は、前記端末機器に対するアクセスポイントとして前記無線端末装置を機能させるアクセスポイントモードと、前記中継装置に対するステーションとして前記無線端末装置を機能させるステーションモードと、を有し、前記無線端末装置は、前記ステーションモードにおいて、前記中継装置と前記無線通信を行っても良い。
この形態の無線端末装置によれば、ステーションモードにおいて無線端末装置が中継装置との間で無線通信を行うことができる。
【００１１】
（５）上記形態の無線端末装置であって、前記無線端末装置は、前記端末機器に対するアクセスポイントとして前記無線端末装置を機能させるアクセスポイントモードと、前記中継装置に対するステーションとして前記無線端末装置を機能させるステーションモードと、を有し、前記無線端末装置は、前記アクセスポイントモードと前記ステーションモードとを同時に実行しても良い。
この形態の無線端末装置によれば、ステーションモードにおいて中継装置との間で通信を行いつつ、アクセスポイントモードにおいて端末機器との間で通信を行うことができる。これにより、例えば中継装置と無線端末装置との無線接続状況に関する情報をリアルタイムに端末機器に送信できる。端末機器に送信する情報としては、例えば、接続確立中や接続確立完了などを表す情報が挙げられる。
【００１２】
（６）上記形態の無線端末装置であって、さらに、前記無線端末装置と前記中継装置との接続状況を前記端末機器に送信する通知部を備えても良い。
この形態の無線端末装置によれば、ユーザは端末機器を介して前記中継装置との接続状況を容易に把握できる。
【００１３】
（７）上記形態の無線端末装置であって、さらに、前記情報提供部が前記設定画面情報を送信する前に、前記無線端末装置に対して割り当てられた識別情報を入力させる識別入力画面を前記表示部に表示させる入力画面情報を前記端末装置に送信し、前記識別入力画面を介して入力された識別情報である入力情報が前記無線端末装置に予め記憶された識別情報である記憶情報と一致するかどうかを判定する識別情報機能部を有し、前記情報提供部は、前記識別情報機能部が、前記入力情報と前記記憶情報とが一致すると判定した場合は、前記設定画面情報を前記端末装置に送信し、前記識別情報機能部が、前記入力情報と前記記憶情報とが一致しないと判定した場合は、前記設定画面情報を前記端末装置に送信しなくても良い。
この形態の無線端末装置によれば、端末装置と無線端末装置との間のセキュリティを向上できる。
【００１４】
（８）上記形態の無線端末装置であって、さらに、ＩＥＥＥ８０２．１Ｘに基づく認証サーバ装置に対する前記無線端末装置の認証を中継する認証中継部を有する前記中継装置に対して、前記中継装置とは異なる他の機器と通信を行うための認証を要求する認証要求機能部を有しても良い。
この形態の無線端末装置によれば、無線端末装置のセキュリティを向上できる。
【００１５】
（９）上記形態の無線端末装置であって、さらに、前記端末機器との間の前記ネットワーク接続が確立した後に、有線接続された前記電子機器との間のデータリンク層における接続を切断し、再び有線接続された前記電子機器との間のデータリンク層における接続を行う再接続部を有しても良い。この形態の無線端末装置によれば、データリンク層における接続を切断し、再びデータリンク装置における接続を行うことで、中継装置と有線接続された電子機器との間のネットワーク接続を行うためのトリガを発生させることができる。
【００１６】
（１０）本発明の他の一形態によれば、電子機器に有線接続され、有線によって受信した前記電子機器からのデータを無線によって中継装置に送信するための無線端末装置が実行する無線接続方法が提供される。この無線接続方法は、（ａ）情報を表示ための表示部と、第部からの入力を受け付ける入力部と、無線通信を行うための無線通信機能部と、を有する端末機器に対し前記無線端末装置との間のネットワーク接続を確立するための接続情報を送信する工程と、（ｂ）前記接続情報を用いて前記無線端末装置と前記端末機器との間の前記ネットワーク接続が確立された後に、前記無線端末装置を前記中継装置に無線接続するために必要な設定を行うための設定画面を前記表示部に表示させる設定画面情報を前記端末機器に送信する工程と、を備える。
この形態の無線接続方法によれば、入力部と表示部とを有する端末機器を介して無線端末装置と中継装置との無線接続のための設定を行うことができる。
【００１７】
上述した本発明の各形態の有する複数の構成要素は全てが必須のものではなく、上述の課題の一部または全部を解決するため、あるいは、本明細書に記載された効果の一部または全部を達成するために、適宜、前記複数の構成要素の一部の構成要素について、その変更、削除、新たな構成要素との差し替え、限定内容の一部削除を行うことが可能である。また、上述の課題の一部または全部を解決するため、あるいは、本明細書に記載された効果の一部または全部を達成するために、上述した本発明の一形態に含まれる技術的特徴の一部または全部を上述した本発明の他の形態に含まれる技術的特徴の一部または全部と組み合わせて、本発明の独立した一形態とすることも可能である。
【００１８】
なお、本発明は、種々の態様で実現することが可能である。例えば、本発明は、無線接続システム、無線端末装置、無線接続方法の他に、これらのシステム、装置、方法を実現するためのコンピュータプログラム、そのコンピュータプログラムを記録した記録媒体等の形態で実現することができる。
【図面の簡単な説明】
【００１９】
【図１】本発明の第１実施形態としての無線接続システムを説明するための図である。
【図２】ＡＰの内部ブロック図である。
【図３】イサコンの内部ブロック図である。
【図４】携帯電話の内部ブロック図である。
【図５】無線接続システムが実行する処理手順である。
【図６】図５の処理手順の実行中に携帯電話に表示される画面の一例である。
【図７】図５の処理手順の実行中に携帯電話に表示される画面の他の一例である。
【図８】図５の処理手順の実行中に携帯電話に表示される画面の他の一例である。
【図９】本発明の第２実施形態で用いられるイサコンの内部ブロック図である。
【図１０】無線接続システムが実行する処理手順である。
【図１１】図９の処理手順の実行中に携帯電話に表示される画面の一例である。
【図１２】本発明の第３実施形態としての無線接続システムを説明するための図である。
【図１３】イサコンの内部ブロック図である。
【図１４】無線接続システムが実行する処理手順である。
【図１５】携帯電話が表示部に表示させる画面である。
【発明を実施するための形態】
【００２０】
次に、本発明の実施の形態を実施例に基づいて説明する。
【００２１】
Ａ．第１実施形態：
図１は、本発明の第１実施形態としての無線接続システム９０を説明するための図である。無線接続システム９０は、電子機器としてのセットトップボックス２２（以下、「ＳＴＢ２２」とも呼ぶ。）と、無線端末装置としてのイーサネットコンバーター４０（以下、「イサコン４０」とも呼ぶ。）と、中継装置としての無線ＬＡＮアクセスポイント（以下、「ＡＰ３０」とも呼ぶ。）と、端末機器としての携帯電話５０と、を備える。携帯電話５０は、いわゆるスマートフォンである。無線接続システム９０は、携帯電話５０を用いてイサコン４０とＡＰ３０との間の無線接続を行うための設定を行う。
【００２２】
携帯電話５０は、画像情報や文字情報などの各種情報を表示させるための表示部５９を有する。表示部５９は、タッチパネルであり、外部からの入力を受け付ける入力部としても機能する。すなわち、表示部５９は、表示機能と入力機能とを備えるユーザインタフェースである。ＡＰ３０は、イサコン４０と無線通信を行うと共に、ＡＰ３０に接続される他のクライアント装置やインターネット２０に接続されている機器との通信を中継する。ＡＰ３０は、有線ケーブルを介してインターネット２０に接続されている。イサコン４０は、携帯電話５０に対するアクセスポイントとして機能するアクセスポイントモード４２６（ＡＰモード４２６）と、ＡＰ３０に対するステーションとして機能するステーションモード４２７（ＳＴＡモード４２７）の２つのモードを有する。また、イサコン４０は、ＡＯＳＳの開始指示を携帯電話５０またはＡＰ３０に与えるための設定ボタン４１を備えている。一方で、本実施形態におけるＡＰ３０は、ＡＯＳＳをサポートしていない。ＡＯＳＳは、通信情報と暗号化情報とをクライアント装置に対して自動的に設定させる機能である。なお、「通信情報」とは、ＢＳＳＩＤ（Basic Service Set Identifier）、ＥＳＳＩＤ（Extended Service Set Identifier）、ＳＳＩＤ（Service Set Identifier）等の通信を確立するために必要な情報を意味する。「暗号化情報」とは、ＷＥＰ（Wired Equivalent Privacy）、ＷＰＡ（Wi-Fi Protected Access）、ＷＰＡ２−ＰＳＫ（Wi-Fi Protected Access 2 Pre-Shared Key）等の無線ＬＡＮ暗号化方式と、暗号化の際に用いられる鍵を意味する。ＳＴＢ２２は、自身のＩＰアドレスを取得するための要求をＤＨＣＰサーバ装置に対して行うＤＨＣＰクライアント機能部２２１を有する。
【００２３】
図２は、ＡＰ３０の内部ブロック図である。ＡＰ３０は、ＣＰＵ３２と、ＲＡＭ３５と、記憶部３６と、有線ＬＡＮインタフェース３８１と、無線ＬＡＮインタフェース３８３とを備える。各部３２，３５，３６，３８１，３８３は、バスにより相互に接続されている。ＣＰＵ３２は、記憶部３６に記憶されているコンピュータプログラムをＲＡＭ３５に展開することによってＡＰ３０の動作を制御する。具体的には、ＣＰＵ３２は、中継処理部３２１と、設定制御部３２３と、ＤＨＣＰサーバ機能部３２５として機能する。記憶部３６は、フラッシュＲＯＭである。
【００２４】
中継処理部３２１は、受信パケットを宛先に応じて転送する中継処理を実行する。設定制御部３２３は、クライアント装置とＡＰ３０との間の無線通信を確立するための設定処理を制御する。ＤＨＣＰサーバ機能部３２５は、ＳＴＢ２２のＤＨＣＰクライアント機能部２２１からの接続情報取得要求に対してイサコン４０を経由してＳＴＢ２２に対してＩＰアドレスを含む接続情報を送信する。接続情報をＳＴＢ２２が受信することでＩＰアドレスがＳＴＢ２２に割り当てられる。
【００２５】
有線ＬＡＮインタフェース３８１は、インターネット２０側の回線と接続されるほか、有線ケーブルを通じて通信の相手方となる装置と接続される。有線ＬＡＮインタフェース３８１は、図示しないＰＨＹ／ＭＡＣコントローラを含み、受信した信号の波形を整えるほか、受信した信号からＭＡＣフレームを取り出す機能を有する。無線ＬＡＮインタフェース３８３は、図示しない送受信回路を含み、アンテナを介して受信した電波の復調とデータの生成、および、アンテナを介して送信する電波の生成と変調を行う機能を有する。無線ＬＡＮインタフェース３８３は、ＩＥＥＥ８０２．１１に準拠しており、ＩＥＥＥ８０２．１１に準拠した無線ＬＡＮインタフェースを備える他の機器と互いに受信電波の復調とデータ生成が可能な範囲であれば、他の機器との間で無線通信を行うことができる。
【００２６】
図３は、イサコン４０の内部ブロック図である。イサコン４０は、ＣＰＵ４２と、設定ボタン４４と、ＲＡＭ４５と、記憶部４６と、有線ＬＡＮインタフェース４８１と、無線ＬＡＮインタフェース４８３と、ＵＳＢインタフェース４８５とを備える。各部４２，４４，４５，４６，４８１，４８３，４８５は、バスにより相互に接続されている。
【００２７】
ＣＰＵ４２は、記憶部４６に記憶されているコンピュータプログラムをＲＡＭ４５に展開することによってイサコン４０の動作を制御する。具体的には、ＣＰＵ４２は、再接続部４２１と、動作モード制御部４２５と、設定部４２８と、通知部４２９として機能する。
【００２８】
再接続部４２１は、ＡＰ４０と有線ＬＡＮ接続された機器との間の有線ＬＡＮ接続を一旦Ｌｉｎｋダウンさせた後に再びＬｉｎｋアップさせる。すなわち、再接続部４２１は、ＡＰ４０と有線ＬＡＮ接続された機器との間のデータリンク層における接続が遮断されたことをＡＰ４０に検出させた後に、再びＡＰ４０にデータリンク層における接続が行われたことを検出させる。再接続部４２１は、後述するイサコン４０とＡＰ３０との間の無線接続が確立された後に上記の処理を実行する。
【００２９】
動作モード制御部４２５は、イサコン４０が有するＡＰモード４２６とＳＴＡモード４２７との２つのモードを制御する。本実施形態のイサコン４０は、ＡＰモード４２６とＳＴＡモード４２７とを同時に実行できる。なお、「同時に実行できる」とは、ＣＰＵ４２のクロック単位では同時に実行されていないが、複数のクロックが生成される所定時間内にＡＰモード４２６とＳＴＡモード４２７との２つのモードが実行されていることを意味する。
【００３０】
また、ＣＰＵ４２は、割当部としてのＤＨＣＰサーバ機能部４５２と、情報提供部としてのＷＥＢサーバ機能部４５４と、ＤＨＣＰクライアント機能部４５６とを備える。ＤＨＣＰサーバ機能部４５２とＷＥＢサーバ機能部４５４とは、イサコン４０がＡＰモード４２６のときに機能する。ＤＨＣＰクライアント機能部４５６は、イサコン４０がＳＴＡモード４２７のときに機能する。ＤＨＣＰサーバ機能部４５２は、携帯電話５０がＡＰ３０やイサコン４０とインターネット２０を介したネットワーク接続を行うための接続情報を携帯電話５０に割り当てる。接続情報は、ＩＰアドレスを含む情報である。ＷＥＢサーバ機能部４５４は、携帯電話５０に対しイサコン４０とＡＰ３０との間の無線接続を確立するために必要な設定を行うための設定画面を表示させる設定画面情報４６２をＷＥＢブラウザ経由で提供する。設定画面情報４６２は記憶部４６に格納されている。ＤＨＣＰクライアント機能部４５６は、ＡＰ３０のＤＨＣＰサーバ機能部３２５のクライアント装置として機能し、ＡＰ３０に対してインターネットを介したネットワーク接続を行うための接続情報を取得するための要求（接続情報取得要求）を行う。接続情報は、ＩＰアドレスを含む情報である。
【００３１】
設定部４２８は、設定ボタン４４の押下の検出により、ＡＯＳＳをサポートしている端末機器（携帯電話）や中継装置（ＡＰ）に対しＡＯＳＳの開始指示を送信する。また、設定部４２８は、イサコン４０がＡＰモード４２６の場合に、クライアント装置に対してクライアント装置との無線接続を確立するための設定情報（例えばイサコン４０のＳＳＩＤや暗号方式）をクライアント装置に対して送信する。イサコン４０は、ＳＳＩＤの値が「！ＡＢＣ」であり、暗号化通信を使用しない仮想ポートを有する。設定ボタン４４は、イサコン４０の筺体に設けられたモーメンタリスイッチである。なお、設定ボタン１２０は、状態を維持しないスイッチにより実現されることが好ましい。通知部４２９は、イサコン４０とＡＰ３０との無線接続の状況を携帯電話５０に送信する。
【００３２】
有線ＬＡＮインタフェース４８１は、有線ケーブルを通じて通信の相手型となる装置と接続される。本実施形態では、有線ＬＡＮインタフェース４８１を介してセットトップボックス２２（図１）と有線接続される。有線ＬＡＮインタフェース４８１は、図示しないＰＨＹ／ＭＡＣコントローラを含み、受信した信号の波形を整えるほか、受信した信号からＭＡＣフレームを取り出す機能を有する。
【００３３】
無線ＬＡＮインタフェース４８３は、図示しない送受信回路を含み、アンテナを介して受信した電波の復調とデータの生成、および、アンテナを介して送信する電波の生成と変調を行う機能を有する。無線ＬＡＮインタフェース４８３は、ＩＥＥＥ８０２．１１に準拠しており、ＩＥＥＥ８０２．１１に準拠した無線ＬＡＮインタフェースを備える他の機器と互いに受信電波の復調とデータ生成が可能な範囲であれば、他の機器との間で無線通信を行うことができる。
【００３４】
ＵＳＢインタフェース４８５は、ＵＳＢ規格に従って他の装置に接続される。本実施形態では、ＵＳＢインタフェース４８５は、セットトップボックス２２に接続され、セットトップボックス２２からＶＢＵＳを通じて電源供給を受けるために用いられる。
【００３５】
図４は、携帯電話５０の内部ブロック図である。携帯電話５０は、ＣＰＵ５２と、ＲＡＭ５５と、記憶部５６と、無線ＬＡＮインタフェース５８１と、移動体通信インタフェース５８３と、表示部５９とを備える。各部５２，５５，５６，５９，５８１，５８３は、バスにより相互に接続される。
【００３６】
ＣＰＵ５２は、記憶部５６に記憶されているコンピュータプログラムをＲＡＭ５５に展開することによって携帯電話５０の動作を制御する。具体的には、ＣＰＵ５２は、表示制御部５２１と、入力制御部５２２と、通信制御部５２３と、ＷＥＢブラウザ機能部５２４と、ＤＨＣＰクライアント機能部５２６として機能する。表示制御部５２１は、表示部５９の動作を制御する。例えば、表示制御部５２１は、表示部５９に文字情報などの各種情報を表示する。詳細には、本実施形態の携帯電話５０はいわゆるスマートフォンであり、表示部５９にはタッチパネルが用いられている。入力制御部５２２は、タッチパネルである表示部５９に対し外部から受け付けた入力情報を制御する。例えば、入力制御部５２２は、入力情報を携帯電話５０が実行できるプログラムに変換する。通信制御部５２３は、ＯＳＩ参照モデルにおけるネットワーク層に相当するレイヤ３以上のデータ通信を制御する。ＷＥＢブラウザ機能部５２４は、例えば、ＨＴＴＰ（HyperText Transfer Protocol）のようなデータ転送プロトコルに基づいてＷＷＷ（World Wide Web）から取得されたコンテンツ情報の閲覧に使用されるコンピュータプログラムである。ＤＨＣＰクライアント機能部５２６は、イサコン４０のＤＨＣＰサーバ機能部４５２に対してインターネット２０を介したネットワーク接続を行うための接続情報を取得するための要求（接続情報取得要求）を行う。接続情報は、ＩＰアドレスを含む情報である。
【００３７】
無線ＬＡＮインタフェース５８１は、図示しない送受信回路を含み、アンテナを介して受信した電波の復調とデータの生成、および、アンテナを介して送信する電波の生成と変調を行う機能を有する。無線ＬＡＮインタフェースは、ＩＥＥＥ８０２．１１に準拠しており、ＩＥＥＥ８０２．１１に準拠した無線ＬＡＮインタフェースを備える他の機器と互いに受信電波の復調とデータ生成が可能な範囲であれば、他の機器との間で無線通信を行うことができる。
【００３８】
移動体通信インタフェース５８３は、移動体通信網等の専用回線の通信規格に準拠しており、インターネット２０に接続された移動体通信基地局（図示しない）と無線によって通信可能に構成されている。
【００３９】
図５は、無線接続システム９０が実行する処理手順である。図５に示す処理手順が実行されることで、ＡＰ３０とイサコン４０との無線接続が確立される。図５に示す処理手順の実行中は、イサコン４０はＡＰモード４２６とＳＴＡモード４２７とを常に同時に実行している。図６は、図５の処理手順の実行中に携帯電話５０に表示される画面の一例である。図７は、図５の処理手順の実行中に携帯電話５０に表示される画面の他の一例である。図８は、図５の処理手順の実行中に携帯電話５０に表示される画面の他の一例である。なお、図５において、携帯電話５０とイサコン４０との間で無線接続が予め確立されているものとする。
【００４０】
まず、ＳＴＢ２２とイサコン４０とがイーサネットケーブルによって有線ＬＡＮ接続がされ、イーサネットケーブルを介したＳＴＢ２２とイサコン４０との通信が可能な状態となる（リンクアップ；ステップＳ１０）。リンクアップ後にＳＴＢ２２は、所定時間間隔ごとにＤＨＣＰＤＩＳＣＯＶＥＲパケットを、イサコン４０を介してブロードキャスト送信し、ＤＨＣＰサーバ装置からの応答を待つ（ステップＳ１２）。ステップＳ１２の時点では、イサコン４０とＡＰ３０との間の無線接続の確立が行われていないため、ＡＰ３０のＤＨＣＰサーバ機能部３２５はＳＴＢ２２が送信するＤＨＣＰＤＩＳＣＯＶＥＲパケットに対する応答を行うことができない。
【００４１】
またステップＳ１０の後に、ユーザはイサコン４０の設定ボタン４４を押下する。これにより、イサコン４０は設定ボタン４４の押下を検出する（ステップＳ１４）。設定ボタン４４の押下の検出をトリガとして、イサコン４０の設定部４２８は、「！ＡＢＣ」を値とするＳＳＩＤをビーコンに含めてブロードキャスト送信を行う（ステップＳ１６）。携帯電話５０は、ブロードキャスト送信されたビーコンを受信する。ステップＳ１６は、イサコン４０のＡＰモード４２６において実行される。なお、上記のステップＳ１６ではイサコン４０がパッシブスキャンの場合についての処理を前提にしていたがこれに限定されるものではない。例えば、他の例では、携帯電話５０からのProbe Requestに対する応答（Probe Response）にＳＳＩＤを含ませても良い。
【００４２】
図６に示すように、携帯電話５０がＳＳＩＤを含むビーコンを受信した場合、携帯電話５０の表示制御部５２１は、イサコン４０と無線接続を行うための接続画面Ｗａを表示部５９に表示する。本実施形態では、表示部５９には「機器４０と接続しますか」とのメッセージと、接続ボタンＢａが表示される。ユーザは接続画面Ｗａに表示された接続ボタンＢａを押下（タップ）することで（ステップＳ１８）、携帯電話５０とイサコン４０との間の無線接続の確立処理が開始され、携帯電話５０とイサコン４０との無線接続が確立される（ステップＳ２０）。詳細には、携帯電話５０とイサコン４０との間で認証方式のやり取りを行い（Authentication）、次いで携帯電話５０からのイサコン４０に対するアソシエーション要求に対してイサコン４０が携帯電話５０に対してアソシエーション応答を行う事で無線接続が確立される。ステップＳ２０によって携帯電話５０とイサコン４０との物理層レベルでの無線接続が確立される。
【００４３】
イサコン４０と携帯電話５０との間の物理層レベルでの無線接続が確立した後に、携帯電話５０は確立した無線ＬＡＮインタフェース上のＤＨＣＰサーバ装置を検索し、検出したＤＨＣＰサーバ装置からデフォルトゲートウェイと自身に割り当てられるＩＰアドレスを取得する。なお、本実施形態ではイサコン４０がＤＨＣＰサーバ装置としての機能（ＤＨＣＰサーバ機能部４５２）を有する。これにより、デフォルトゲートウェイはイサコン４０に設定されているＩＰアドレスが、携帯電話５０のＩＰアドレスはＤＨＣＰサーバ機能部４５２を用いて適切に割り当てられる。本実施形態では、ステップＳ２０の後に、携帯電話５０のＤＨＣＰクライアント機能部５２６がＤＨＣＰＤＩＳＣＯＶＥＲパケットをイサコン４０のＤＨＣＰサーバ機能部４５２に送信する（ステップＳ２８）。このＤＨＣＰＤＩＳＣＯＶＥＲパケットを受信したイサコン４０のＤＨＣＰサーバ機能部４５２は、携帯電話５０に対しイサコン４０とネットワーク接続を行うための接続情報を送信する（ステップＳ３０）。この接続情報は、ＩＰアドレスを含む。ステップＳ３０は、イサコン４０のＡＰモード４２６において実行される。ＩＰアドレスが携帯電話５０に割り当てられることで携帯電話５０はＩＰアドレスを用いたデータ通信を行うことができる。
【００４４】
イサコン４０と携帯電話５０とのネットワーク接続が確立した後に、イサコン４０はＳＴＡモード４２７において、周辺のＡＰを探すためのプローブ要求（Probe Request）パケットを送信する（ステップＳ３２）。プローブ要求パケットを受信したＡＰはイサコン４０に対してプローブ応答（Probe Request）を返信する（ステップＳ３４ａ，３４ｂ）。次に、イサコン４０は、所定期間内に受信したプローブ応答の各ＡＰのＳＳＩＤを含むリスト（接続対象リスト）を作成する（ステップＳ３６）。また、携帯電話５０は、ステップＳ３０において自身に対してＩＰアドレスが割り当てられた後に、イサコン４０に対して接続対象リストの取得要求を、ＨＴＴＰを用いて行う（ステップＳ３８）。接続対象リストの取得要求を受信したイサコン４０のＷＥＢサーバ機能部４５４は、イサコン４０とＡＰ３０との間の無線接続を確立するために必要な設定を行うための設定画面をＷＥＢブラウザ経由で表示させるための設定画面情報を携帯電話５０へ送信する（ステップＳ４０）。この設定画面情報は、接続対象リストを表す情報と、ＡＰへ無線接続を行うための情報と、を含む。ステップＳ４０は、イサコン４０のＡＰモード４２６において実行される。
【００４５】
携帯電話５０が設定画面情報を受信した後に、携帯電話５０のＷＥＢブラウザ機能部５２４は、イサコン４０とＡＰ３０との間の無線接続を確立するために必要な設定を行うための設定画面Ｗ１をＷＥＢブラウザ経由で表示部５９に表示する（ステップＳ４２）。図７には、ステップＳ４２において表示部５９に表示される設定画面Ｗ１が示されている。図７に示すように、設定画面Ｗ１は、イサコン４０が作成した接続対象リストによって表されるＡＰの情報リストＮ１，Ｎ２と、接続ボタンＢ１１と、を含む。ここで、情報リストＮ１がＡＰ３０を表すものとする。
【００４６】
ユーザが設定画面Ｗ１の情報リストＮ１を選択し、接続ボタンＢ１１を押下すると（ステップＳ４３）、ＷＥＢブラウザ機能部５２４は、イサコン４０と選択したＡＰ３０との間の無線接続を確立するために必要な設定を行うための設定画面Ｗ２をＷＥＢブラウザ経由で表示部５９に表示する（ステップＳ４４）。図８には、ステップＳ４４において表示部５９に表示される設定画面Ｗ２が示されている。図８に示すように、ボックスＣ１は、ＡＰのＳＳＩＤを入力するためのボックスである。本実施形態では、ボックスＣ１には、ステップＳ４３においてユーザによって選択されたＡＰ３０のＳＳＩＤが自動入力されている。ボックスＣ２は、ＡＰ３０とイサコン４０との間の無線通信に用いられる暗号化方式の種類、及び、ＡＰ３０とイサコン４０との間の無線接続のための認証方式を選択するためのボックスである。図８では、暗号化方式を用いることなく無線通信を行う「暗号化なし」や、暗号化方式を表す「ＷＥＰ」や、認証方式と暗号化方式とを表す「ＷＰＡ−ＰＳＫ（ＡＥＳ）」および「ＷＰＡ２−ＥＡＰ」が選択可能である。本実施形態では、「ＷＰＡ−ＰＳＫ（ＡＥＳ）」がユーザによって選択されたものとする。ボックスＣ３は、ＡＰ３０とイサコン４０との間の無線通信に用いられる暗号キーを入力させるためのボックスである。ボックスＣ３は、ボックスＣ２において「暗号化なし」以外が選択された場合に入力が可能となるボックスである。ユーザは、ＡＰ３０の筺体や説明書等に記載された暗号キーをボックスＣ３に入力する。なお、設定画面Ｗ２において、ＳＳＩＤに加え、ボックスＣ２における暗号化方式の種類、及び、認証方式についても自動入力されても良い。この場合、ボックスＣ１において選択されているＡＰに設定されている暗号化方式及び認証方式がボックスＣ２に自動入力される。こうすることで、ユーザはボックスＣ３において暗号キーを入力するだけで設定画面Ｗ２の必要項目の入力が完了できるため、入力のための簡便性を向上しつつ、セキュリティの向上を図ることができる。
【００４７】
ユーザが設定画面Ｗ２に必要項目を入力し、送信ボタンＢ６を押下すると、設定画面Ｗ２上に入力されている情報を含む無線接続確立のための接続情報が携帯電話５０からイサコン４０へ送信される（ステップＳ４６）。接続情報を受信したイサコン４０は、ＳＴＡモードにおいて、ＡＰ３０との間で接続情報を用いた無線接続の確立を行う（ステップＳ４８）。ステップＳ４８をトリガとして、ＡＰ３０とイサコン４０との間で認証方式のやり取りが行われ（Authentication）、次いでイサコン４０からのＡＰ３０に対するアソシエーション要求に対してＡＰ３０がイサコン４０に対してアソシエーション応答を行うことでＡＰ３０とイサコン４０との間の無線接続が確立される（ステップＳ５０）。
【００４８】
ＡＰ３０とイサコン４０との無線接続が確立された後、イサコン４０の再接続部４２１は、ＳＴＢ２２との間の有線ＬＡＮ接続を一旦Ｌｉｎｋダウンさせた後に再びＬｉｎｋアップさせる（ステップＳ５２）。本実施形態では、イサコン４０は、イサコン４０とＳＴＢ２２との間のイーサネットケーブルについて物理的な接続を維持した状態で、イサコン４０とＳＴＢ２２とのデータ通信を切断し、再びデータ通信が可能な状態に戻す。これにより、ＳＴＢ２０内のファームウェアは新たなＬＡＮ接続が行われたと判断し、イーサネットケーブルが接続された有線ＬＡＮポートからＳＴＢ２２自身のＩＰアドレスやデフォルトゲートウェイの取得を行う。詳細には、ＳＴＢ２２のＤＨＣＰクライアント機能部２２１は、イーサネットケーブルを介してＤＨＣＰＤＩＳＣＯＶＥＲパケットを送信する（ステップＳ５４）。ステップＳ５４において、イサコン４０はＳＴＡモード４２７で動作しており、ＡＰモード４２６で動作していない。よって、ＡＰモード４２６において実行されるＤＨＣＰサーバ機能部４５２は機能していない。これにより、イサコン４０がＳＴＢ２２から送信されたＤＨＣＰＤＩＳＣＯＶＥＲパケットを無線ＬＡＮ側へと中継することで、ＤＨＣＰＤＩＳＣＯＶＥＲパケットがＡＰ３０に送信される。
【００４９】
ＤＨＣＰＤＩＳＣＯＶＥＲパケットを受信したＡＰ３０のＤＨＣＰサーバ機能部３２５は、ＳＴＢ２２がネットワーク接続を行うための接続情報を送信することで、ＳＴＢ２２に対してＩＰアドレスを割り当てる（ステップＳ５６）。また、接続情報にはデフォルトゲートウェイを表す情報が含まれ、ステップＳ５６においてＳＴＢ２２はＡＰ３０からデフォルトゲートウェイを取得する。
【００５０】
また、イサコン４０の通知部４２９は、ステップ４８の後にイサコン４０とＡＰ３０との間の無線接続の状況を表す情報を所定時間間隔ごとに携帯電話５０に送信する（ステップＳ４９，ステップＳ４９ａ，ステップＳ４９ｂ）。無線接続の状況を表す情報の送信は、イサコン４０とＡＰ３０との無線接続が完了したことを表す情報を送信するまで行われる。ステップＳ４９は、イサコン４０のＡＰモード４２６において実行される。ステップＳ４９ａによって送信される無線接続の状況を表す情報は、表示部５９に「無線接続確立中」と表示させるための情報である。また、ステップＳ４９ｂによって送信される無線接続の状況を表す情報は、表示部５９に「無線接続完了」と表示させるための情報である。
【００５１】
ＡＰ３０がＡＯＳＳやＷＰＳなどの無線接続を容易に行うための機能をサポートしていない場合は、ユーザは手動でＡＰ３０とイサコン４０との無線接続の設定を行う必要がある。ここで、本実施形態のように、イサコン４０に有線接続される電子機器（本実施形態ではＳＴＢ２２）が無線接続の設定のための表示手段及び入力手段を含むユーザインタフェースを有さない場合や、無線接続の設定を行うための画面を表示するためのＷＥＢブラウザ機能を搭載していない場合がある。しかしながら、本実施形態によれば、ユーザに広く普及している携帯電話５０（詳細には、スマートフォン）を用いて、ユーザはイサコン４０とＡＰ３０との無線接続のために必要な設定を行うことができる。
【００５２】
また、イサコン４０が、携帯電話５０に対して設定画面情報を送信することで、携帯電話５０の表示部５９にＷＥＢブラウザ経由で設定画面Ｗ２（図８）を表示させる。これにより、ユーザは、無線接続を確立するための情報を設定画面Ｗ２に表示された項目に従って入力しイサコン４０に送信することで、イサコン４０とＡＰ３０との無線接続のために必要な設定を行うことができる。
【００５３】
また、イサコン４０は、ＡＰモード４２６とＳＴＡモード４２７とを同時に実行できる（図５）。これにより、ステーションモードにおいてＡＰ３０との間で通信を行いつつ、アクセスポイントモードにおいて携帯電話５０との間で通信を行うことができる。これにより、イサコン４０の通知部４２９が、イサコン４０とＡＰ３０との無線接続の状況をリアルタイムで携帯電話５０に通知することができる。例えば、これにより、ユーザは、携帯端末５０の表示部５９を介して無線接続の状況を容易に把握できる。
【００５４】
また、ＡＰ３０とイサコン４０との無線接続が確立された後、イサコン４０は、ＳＴＢ２２との間の有線ＬＡＮ接続を一旦Ｌｉｎｋダウンさせた後Ｌｉｎｋアップさせている（ステップＳ５２）。これにより、ＳＴＢ２２は、自身のネットワーク接続開始のトリガを発生させることができる。よって、ＳＴＢ２２は、ＡＰ３０からＩＰアドレスを取得して、イサコン４０を介したＳＴＢ２２とＡＰ３０との間のネットワーク接続を確立できる。
【００５５】
Ｂ．第２実施形態：
図９は、本発明の第２実施形態で用いられるイサコン４０ａの内部ブロック図である。第２実施形態の無線接続システム９０ａと第１実施形態の無線接続システム９０との異なる点は、イサコン４０ａの構成と、無線接続システム９０ａが実行する処理手順である。その他の構成（例えば、ＡＰ３０）は第１実施形態と無線接続システム９０と同様の構成であるため、同様の構成については同一符号を付すと共に説明を省略する。
【００５６】
第２実施形態のイサコン４０ａと、第１実施形態のイサコン４０（図３）との異なる点は、イサコン４０ａが識別情報機能部４２２と識別情報４６４とを新たに有する点である。その他の構成については第１実施形態のイサコン４０と同様の構成であるため、同様の構成については同一符号を付すと共に説明を省略する。
【００５７】
識別情報４６４は、イサコン４０ａに割り当てられたイサコン４０ａを識別するための情報である。本実施形態では、識別情報４６４は３桁の数字を表す情報である。また、識別情報４６４である３桁の数字は、イサコン４０ａの筺体や説明書等に記載されている。識別情報機能部４２２は、ＷＥＢサーバ機能部４５４が設定画面情報を送信する前に、識別情報を入力させる識別入力画面を携帯電話５０の表示部５９に表示させる入力画面情報を携帯電話５０にブロードキャスト送信する。また、識別情報機能部４２２は、表示部５９に表示された識別入力画面を介して入力された識別情報である入力情報が記憶部４６に記憶された識別情報４６４と一致するかどうかを判定する。
【００５８】
図１０は、無線接続システム９０ａが実行する処理手順である。図１１は、図１０の処理手順の実行中に携帯電話５０に表示される画面の一例である。第１実施形態の無線接続システム９０が実行する処理手順（図５）と異なる点は、ステップＳ１６の前にステップＳ１５ａ〜Ｓ１５ｃの処理が加わった点である。その他のステップについては第１実施形態と同様のステップであるため、同様のステップについては同一符号を付すと共に説明を省略する。
【００５９】
ユーザによってイサコン４０ａの設定ボタン４４が押下されたことをイサコン４０ａが検出したことをトリガとして、イサコン４０ａの識別情報機能部４２２は、入力画面情報を携帯電話５０に送信する（ステップＳ１５ａ）。入力画面情報を受信した携帯電話５０は、図１１に示すように、表示部５９に識別入力画面Ｗ５を表示させる。識別入力画面Ｗ５は、イサコン４０ａに割り当てられた３桁の数字からなる識別情報を入力するための画面である。識別入力画面Ｗ５には、３桁の数字を入力するためのボックスＣ１ａ，Ｃ２ａ，Ｃ３ａと、０〜９の数字と、取消ボタンであるバツ印とが表示されたボックスＢ１２と、送信ボタンＢ１３とが配置されている。ユーザは、イサコン４０ａに割り当てられた３桁の識別情報を左から順にボックスＣ１ａ〜Ｃ３ａに入力し、送信ボタンＢ１３を押下（選択）する。これにより、図１０に示すように携帯電話５０は、入力された入力情報をイサコン４０ａに送信する（ステップＳ１５ｂ）。入力情報を受信したイサコン４０ａの識別情報機能部４２２は、記憶部４６に記憶された識別情報４６４（「記憶情報４６４」とも呼ぶ。）と、受信した入力情報とが一致するかどうかを判定する（ステップＳ１５ｃ）。ステップＳ１５ｃによって、記憶情報４６４と入力情報とが一致しないと判定した場合は、無線接続システム９０ａは以降の処理を中止する。ステップＳ１５ｃによって、記憶情報４６４と入力情報とが一致したと判定した場合は、無線接続システム９０ａはステップＳ１６以降の処理を実行する。
【００６０】
本実施形態によれば、第１実施形態の効果に加え以下の効果を奏する。すなわち、イサコン４０ａと、ＡＰ３０との無線接続のために必要な設定をイサコン４０ａの識別情報を知っているユーザに限定できる。これにより、ＡＰ３０とイサコン４０ａとの間のセキュリティを向上できる。
【００６１】
Ｃ．第３実施形態：
図１２は、本発明の第３実施形態としての無線接続システム９０ｂを説明するための図である。第１実施形態の無線接続システム９０（図１）と同様の構成については同一符号を付すと共に説明を省略する。無線接続システム９０ｂは、それぞれインターネット２０にアクセス可能な複数の異なるＬＡＮにより構成される。本実施形態では、複数の異なるＬＡＮは、第１のＬＡＮと第２のＬＡＮとにより構成される。無線接続システム９０ｂは、電子機器としてのプリンター２４と、無線端末装置としてのイサコン４０ｂと、中継装置としての無線ＬＡＮアクセスポイント（ＡＰ）３０ｂ，７０と、端末機器としての携帯電話５０と、認証サーバ装置６０と、パーソナルコンピュータ（ＰＣ）８０ａ，８０ｂ，８０ｃとを備える。無線接続システム９０ｂは、認証サーバ装置６０がＲＡＤＩＵＳ認証サーバ装置であり、ＡＰ３０ｂがオーセンティケータとしての機能（オーセンティケータ機能部３２８）を有し、イサコン４０ｂが認証サーバ装置６０へ認証を要求するためサプリカントとしての機能（図１３のサプリカント機能部４５８）を有する。プリンター２４は、自身のＩＰアドレスを取得するための要求を、ＤＨＣＰサーバ装置に対して行うＤＨＣＰクライアント機能部２４１を有する。携帯電話５０と、プリンター２４と、イサコン４０ｂと、ＡＰ３０ｂとは同一ＬＡＮ（第１のＬＡＮ）に配置されている。また、認証サーバ装置６０とＡＰ７０とＰＣ８０ａ〜８０ｃとは同一ＬＡＮ（第２のＬＡＮ）に配置されている。ここで、サプリカント機能部４５８が課題を解決するための手段に記載の「認証要求機能部」に相当する。オーセンティケータ機能部３２８が課題を解決するための手段に記載の「認証中継部」に相当する。
【００６２】
プリンター２４は、イサコン４０ｂにイーサネットケーブルによって有線ＬＡＮ接続される。認証サーバ装置６０は、ＩＥＥＥ８０２．１ｘの認証規格に準じている。ＡＰ７０は、受信パケットを宛先に応じて転送する中継処理を実行する。
【００６３】
図１３は、イサコン４０ｂの内部ブロック図である。第１実施形態のイサコン４０の内部ブロック図（図３）と異なる点は、ＩＥＥＥ８０２．１ｘの規格に準じて、認証サーバ装置６０に対し認証を要求するためのサプリカント機能部４５８を有する点である。その他の構成については第１実施形態のイサコン４０と同様の構成であるため、同様の構成については同一符号を付すと共に説明を省略する。サプリカント機能部４５８は、イサコン４０ｂのＳＴＡモード４２７において実行される。
【００６４】
図１４は、無線接続システム９０ｂが実行する処理手順である。図５に示す処理手順と異なる点は、ステップＳ４４ｂによって表示される表示部５９の画面Ｗ３の内容と、ステップＳ４５ａ〜Ｓ４５ｆが加わった点である。その他のステップについては同様の工程であるため、同様の工程については同一符号を付すと共に説明を省略する。図１５は、ステップＳ４４ｂによって送信された設定画面情報を受信した携帯電話５０が表示部５９に表示させる画面Ｗ３である。本実施形態は、ステップＳ４２において表示部５９に表示された設定画面Ｗ２（図８）に対し、ユーザがボックスＣ２から「ＷＰＡ２−ＥＡＰ」を選択し、送信ボタンＢ６を押下したものとする。これにより、ＰＥＡＰ（Protected Extensible Authentication Protocol）による８０２．１ｘ認証が実行される。
【００６５】
図１４に示すステップＳ４４ｂでは、イサコン４０ｂのＷＥＢサーバ機能部４５４によって携帯端末５０に対して設定画面情報が送信される。設定画面情報を受信した携帯電話５０は、図１５に示すような表示部５９に設定画面Ｗ３を表示させる（ステップＳ４４ｂ）。設定画面Ｗ３は、ボックスＣ１ｂ〜Ｃ３ｂと、送信ボタンＢ６とを有する。ボックスＣ１ｂは、ＰＥＡＰ認証を行うためのユーザ名を入力するためのボックスである。ボックスＣ２ｂは、ＰＥＡＰ認証を行うためのパスワードを入力するためのボックスである。ボックスＣ３ｂは、ＰＡＥＰ認証を行うドメイン名を入力するためのボックスである。ユーザは、設定画面Ｗ３の各ボックスＣ１ｂ〜Ｃ３ｂに必要事項を入力した後に送信ボタンＢ６を押下する。これにより、図１４に示すように、イサコン４０ｂ、ＡＰ３０ｂ、及び、認証サーバ装置６０の間で行われるＩＥＥＥ８０２．１Ｘの認証処理に必要な認証情報を携帯電話５０がイサコン４０ｂに対し送信する（ステップＳ４５ａ）。認証情報は、ステップＳ４２によって選択された情報（ＡＰ３０を指定するためのＳＳＩＤ、認証方式および暗号化方式、暗号キー）を含む。認証情報を受信したイサコン４０ｂのサプリカント機能部４５８は、ＡＰ３０ｂのオーセンティケータ機能部３２８に対しＰＥＡＰ認証要求を行う（ステップＳ４５ｂ）。ＰＥＡＰ認証要求を受信したＡＰ３０ｂのオーセンティケータ機能部３２８は、認証サーバ装置６０に対し認証要求を行い（ステップＳ４５ｃ）、認証要求を受信した認証サーバ装置６０はイサコン４０ｂの接続を認証する（ステップＳ４５ｄ）。ステップＳ４５ｄの後、認証サーバ装置６０は、イサコン４０ｂに対し認証が許可されたことを表す許可通知をＡＰ３０ｂを介して送信する（ステップＳ４５ｅ）。これにより、ＡＰ３０ｂは、イサコン４０ｂからのパケットの第２のＬＡＮに配置された他の機器（ＡＰ７０）へのデータ（パケット）の中継を許可する（ステップＳ４５ｆ）。次に図５のステップＳ４８の処理が実行されることで、イサコン４０ｂとＡＰ３０ｂとの間の無線接続が確立される（ステップＳ５０）。また、ステップＳ５０以降の処理は、図５のステップＳ５０以降の処理と同様である。
【００６６】
図１４に示すように、ＩＥＥＥ８０２．１ｘの認証規格に従った認証動作がイサコン４０ｂ，ＡＰ３０ｂ，認証サーバ装置６０の間で実行される（ステップＳ４５ｂ〜Ｓ４５ｆ）。ステップＳ４５ｂ〜Ｓ４５ｆによって認証動作が完了した場合、イサコン４０ｂはＡＰ３０ｂ、７０を介して異なるＬＡＮ（第２のＬＡＮ）に配置されたＰＣ８０ａ〜８０ｃと無線通信を行うことが可能となる。これにより、ＰＣ８０ａ〜８０ｃからのプリンター２４に対する印刷指示をＡＰ７０，３０ｂおよびイサコン４０ｂを介してプリンター２４まで送信できる。
【００６７】
本実施形態によれば、第１実施形態の効果に加え以下の効果を奏する。すなわち、無線接続システム９０ｂは、イサコン４０ｂをサプリカント、ＡＰ３０ｐをオーセンティケータとし、認証サーバ装置６０と各機器４０ｂ，３０ｐとの間で８０２．１ｘの認証規格に従った認証動作を行う。これにより、認証動作が完了する前に、イサコン４０ｂと、イサコン４０ｂが配置されたＬＡＮとは異なるＬＡＮに配置された装置（本実施形態ではＰＣ８０ａ〜８０ｃ）とのデータ通信を禁止できる。これにより、イサコン４０ｂのセキュリティを向上できる。
【００６８】
Ｄ．変形例：
上記実施形態において、ハードウェアによって実現されるとした構成の一部をソフトウェアに置き換えるようにしてもよく、逆に、ソフトウェアによって実現されるとした構成の一部をハードウェアに置き換えるようにしてもよい。その他、以下のような変形も可能である。
【００６９】
Ｄ−１．第１変形例：
上記実施形態では、イサコン４０〜４０ｂの割当部４２１は、ＤＣＨＰによってＩＰアドレスを携帯電話５０に割り当てていたが、ＩＰアドレスを割り当てる他の機能を用いても良い。例えば、割当部４２１は、ＢＯＯＴＰ（Bootstrap Protocol）によってＩＰアドレスを携帯電話５０に割り当てても良い。
【００７０】
Ｄ−２．第２変形例：
上記実施形態では、携帯電話５０を用いてイサコン４０〜４０ｂとＡＰ３０〜３０ｂとの間の無線接続の設定を行っていたが、携帯電話５０以外の他の端末機器を用いても良い。例えば、端末機器としてタブレット型のＰＣを用いても良い。なお、端末機器としては、一般に広く普及している機器を用いることが好ましい。こうすることで、より多くのユーザがイサコン４０〜４０ｂとＡＰ３０〜３０ｂとの無線接続の設定を、端末機器を用いて行うことができる。
【００７１】
Ｄ−３．第３変形例
上記実施形態では、イサコン４０〜４０ｂは、ＡＰモード４２６とＳＴＡモード４２７とを常に同時に実行していたが（例えば、図９）、ＡＰモード４２６とＳＴＡモード４２７とは常に同時に実行しなくても良い。例えば、ＡＰモード４２６とＳＴＡモード４２７とを切り換えて実行しても良いし、ＳＴＡモード４２７は常に実行しつつ、例えばステップＳ１６（図９）を行う際などの必要なときにＡＰモード４２６を実行しても良い。
【００７２】
Ｄ−４．第４変形例：
上記第２実施形態と第３実施形態を組み合わせても良い。
また、通知部４２９（図３）は有さなくても良い。
【００７３】
Ｄ−５．第５変形例：
上記実施形態では、ＡＰ３０とイサコン４０との無線接続が確立された後、イサコン４０の再接続部４２１は、ＳＴＢ２２との間の有線ＬＡＮ接続を一旦Ｌｉｎｋダウンさせた後に再びＬｉｎｋアップさせていたが（図５のステップＳ５２）、これに限定されるものではない。例えば、ユーザがイサコン４０〜４０ｂとＳＴＢ２２やプリンター２４との間の有線ＬＡＮ接続を物理的に切断して、再度有線ＬＡＮ接続を物理的に行っても良い。
【符号の説明】
【００７４】
２０…インターネット
２２…セットトップボックス
２４…プリンター
３０〜３０ｂ…アクセスポイント
３２…ＣＰＵ
３６…記憶部
４０〜４０ｂ…イーサネットコンバーター
４１…設定ボタン
４２…ＣＰＵ
４４…設定ボタン
４６…記憶部
５０…携帯電話
５２…ＣＰＵ
５６…記憶部
５９…表示部
６０…認証サーバ装置
９０〜９０ｂ…無線接続システム
１２０…設定ボタン
２２１…ＤＨＣＰクライアント機能部
２４１…ＤＨＣＰクライアント機能部
３２１…中継処理部
３２３…設定制御部
３２５…ＤＨＣＰサーバ機能部
３２８…オーセンティケータ機能部
３８１…有線ＬＡＮインタフェース
３８３…無線ＬＡＮインタフェース
４２０…サプリカント機能部
４２１…再接続部
４２２…識別情報機能部
４２５…動作モード制御部
４２６…ＡＰモード
４２７…ＳＴＡモード
４２８…設定部
４２９…通知部
４５２…ＤＨＣＰサーバ機能部
４５４…ＷＥＢサーバ機能部
４５６…ＤＨＣＰクライアント機能部
４６２…設定画面情報
４６４…記憶情報（識別情報）
４８１…有線ＬＡＮインタフェース
４８３…無線ＬＡＮインタフェース
５２１…表示制御部
５２２…入力制御部
５２３…通信制御部
５２６…ＤＨＣＰクライアント機能部
５８１…無線ＬＡＮインタフェース
５８３…移動体通信インタフェース
【図１】
2015061100.tif 000003
【図２】
2015061100.tif 000004
【図３】
2015061100.tif 000005
【図４】
2015061100.tif 000006
【図５】
2015061100.tif 000007
【図６】
2015061100.tif 000008
【図７】
2015061100.tif 000009
【図８】
2015061100.tif 000010
【図９】
2015061100.tif 000011
【図１０】
2015061100.tif 000012
【図１１】
2015061100.tif 000013
【図１２】
2015061100.tif 000014
【図１３】
2015061100.tif 000015
【図１４】
2015061100.tif 000016
【図１５】
2015061100.tif 000017